(57)【要約】  本出願は、電子装置、表示システム及びその統合制御装置、セキュリティ認証方法を開示する。該統合制御装置は、ディスプレイスクリーンに表示駆動信号を提供するための表示ユニットと、少なくとも一つのセンサーに駆動信号を提供してセンシング信号を受信し、前記センシング信号をセンシングデータに変換するためのセンサーユニットと、表示ユニットとセンサーユニットを制御するためのプロセッサとを備え、前記プロセッサが少なくとも一部のセンシングデータに対してローカルセキュリティ認証を行い、且つ認証結果を出力する。該統合制御装置は表示駆動、タッチ駆動とセキュリティ認証の機能を兼ねるため、セキュリティを向上させ且つシステムリソースを節約する。
2021508390.tif 000002
【特許請求の範囲】
【請求項１】
統合制御装置であって、
ディスプレイスクリーンに表示駆動信号を提供するための表示ユニットと、
少なくとも一つのセンサーに駆動信号を提供してセンシング信号を受信し、前記センシング信号をセンシングデータに変換するためのセンサーユニットと、
表示ユニットとセンサーユニットを制御するためのプロセッサとを備え、
前記プロセッサが少なくとも一部のセンシングデータに対してローカルセキュリティ認証を行い、且つ統合制御装置によって認証結果を出力する、統合制御装置。
【請求項２】
特徴データを記憶するための不揮発性メモリをさらに備え、前記プロセッサは前記センシングデータと前記特徴データを比較して、セキュリティ認証を行う
ことを特徴とする請求項１に記載の統合制御装置。
【請求項３】
前記表示ユニットは、液晶スクリーンを駆動するためのものであり、
表示データを受信するための表示及びグラフィックスインタフェースと、
入力された表示データに基づいてグラフィックスデータを生成するための表示コントローラと、
前記少なくとも一つのセンサーに最適化されたグラフィックを提供するためのグラフィックエンジンと、
ゲート電極電圧を生成して複数行の薄膜トランジスタをゲートするためのゲート電極駆動モジュールと、
グラフィックデータに基づいてグレースケール電圧を生成し、ゲートされた薄膜トランジスタを介してグレースケール電圧を印加するためのソース電極駆動モジュールと、
前記ゲート電極と前記グレースケール電圧の出力時点を制御して、連続した画像フレーム周期に、複数行の薄膜トランジスタを走査の方式でゲートするためのタイミングコントローラとを含む
ことを特徴とする請求項１に記載の統合制御装置。
【請求項４】
前記表示ユニットはさらに、
共通電圧を生成するための共通電圧駆動モジュールと、
ガンマ補正曲線を記憶し、前記ソース電極駆動モジュールに、前記グレースケール電圧を補正し、輝度の変化に対する人間の目の非線形要求を満たすための補正信号を提供するためのガンマ基準モジュールとを含む
ことを特徴とする請求項３に記載の統合制御装置。
【請求項５】
前記表示ユニットは、ＡＭＯＬＥＤディスプレイスクリーンを駆動するためのものであり、
表示データを受信するための表示及びグラフィックスインタフェースと、
入力された表示データに基づいてグラフィックスデータを生成するための表示コントローラと、
前記少なくとも一つのセンサーに最適化されたグラフィックを提供するためのグラフィックエンジンと、
ゲート電極電圧を生成して複数行の薄膜トランジスタをゲートするための行駆動モジュールと、
グラフィックデータに基づいてグレースケール電圧を生成し、ゲートされた薄膜トランジスタを介して前記グレースケール電圧に対応する駆動電流を印加するための列駆動モジュールと、
前記ゲート電極と前記グレースケール電圧の出力時点を制御して、連続した画像フレーム周期に、複数行の薄膜トランジスタを走査の方式でゲートするためのタイミングコントローラとを含む
ことを特徴とする請求項１に記載の統合制御装置。
【請求項６】
前記表示ユニットはさらに、
ガンマ補正曲線を記憶し、前記列駆動モジュールに、前記グレースケール電圧を補正し、輝度の変化に対する人間の目の非線形要求を満たすための補正信号を提供するためのガンマ基準モジュールを含む
ことを特徴とする請求項５に記載の統合制御装置。
【請求項７】
前記少なくとも一つのセンサーは、タッチセンサー、指紋センサー、掌紋センサー、音響センサー、光学センサーから選択された少なくとも一つを含み、前記センシングデータは、２次元コード、タッチ位置、指紋、掌紋、声紋、虹彩のうちの少なくとも一つを表すために用いられる
ことを特徴とする請求項１に記載の統合制御装置。
【請求項８】
前記少なくとも一つのセンサーはタッチセンサーであり、前記センサーユニットは、
タッチ駆動信号を提供してタッチセンシング信号を受信し、受信されたタッチセンシング信号に対して増幅及びデジタルアナログ変換を行って、センシングデータを生成するためのタッチ論理モジュールと、
センシングデータ、及びセンシングデータに基づいて生成された暗号化データと認証結果のうちの一つを前記統合制御装置の外部に伝送するためのタッチインタフェースとを含む
ことを特徴とする請求項７に記載の統合制御装置。
【請求項９】
前記統合制御装置は単一のチップである
ことを特徴とする請求項７に記載の統合制御装置。
【請求項１０】
表示システムでは、
表示データに基づいて画像を表示するためのディスプレイスクリーンと、
ユーザインタラクションのセンシング信号を取得するための少なくとも一つのセンサーと、
請求項１に記載の統合制御装置とを備える、表示システム。
【請求項１１】
前記ディスプレイスクリーンは液晶ディスプレイスクリーン、ＬＥＤ液晶ディスプレイスクリーン、ＡＭＯＬＥＤディスプレイスクリーン、量子ドットディスプレイスクリーン、電子ペーパー、ＭｉｃｒｏＬＥＤディスプレイスクリーンから選択されたいずれかの一つである
ことを特徴とする請求項７に記載の表示システム。
【請求項１２】
前記少なくとも一つのセンサーは前記ディスプレイスクリーンの内部又は外部に位置する
ことを特徴とする請求項１０に記載の表示システム。
【請求項１３】
電子装置であって、
ユーザインタラクションのセンシング信号を取得するための少なくとも一つのセンサーと、
請求項１に記載の統合制御装置とを備える、電子装置。
【請求項１４】
前記電子装置は携帯電話、タブレットコンピュータ、ノートパソコン、ＶＲデバイス、ＡＲデバイス、腕時計、自動車、自転車から選択されたいずれかの一つである
ことを特徴とする請求項１３に記載の電子装置。
【請求項１５】
セキュリティ認証方法であって、
少なくとも一つのセンサーからセンシング信号を取得することと、
前記センシング信号からセンシングデータを取得することと、
前記センシングデータのうちの少なくとも一部のセンシングデータを選択して暗号化して暗号化データを取得し、又はローカルセキュリティ認証を行って認証結果を取得することとを含む、セキュリティ認証方法。
【請求項１６】
ローカルセキュリティ認証を行うステップの前に、さらに、
前記少なくとも一つのセンサーから識別子を取得することと、
識別子に応じて前記センシングデータが敏感データであるか否かを判定することとを含み、
前記少なくとも一部のセンシングデータが敏感データである
ことを特徴とする請求項１５に記載の方法。
【請求項１７】
ローカルセキュリティ認証を行うステップの前に、さらに、
ディスプレイスクリーンを所定の動作状態に設定することと、
前記ディスプレイスクリーンの動作状態を取得することと、
動作状態に応じて前記センシングデータを敏感データと非敏感データに区分することとを含む
ことを特徴とする請求項１５に記載の方法。
【請求項１８】
ローカルセキュリティ認証を行うステップの前に、さらに、
敏感レベルに従って、前記センシングデータをレベル１の敏感データとレベル２の敏感データに区分し、前記レベル２の敏感データの感度レベルが前記レベル１の敏感データよりも高いことを含み、
前記少なくとも一部のセンシングデータがレベル２の敏感データである
ことを特徴とする請求項１７に記載の方法。
【請求項１９】
前記センシングデータ、前記暗号化データと前記認証結果をデータパケットにパッケージ化し、前記データパケットを送信することをさらに含む
ことを特徴とする請求項１７に記載の方法。
【請求項２０】
パッケージ化は、データコンテンツの前に開始ビットとタイプ識別子を付加し、データコンテンツの後に終了ビットとチェックビットを付加することを意味する
ことを特徴とする請求項１９に記載の方法。
【請求項２１】
前記セキュリティ認証は前記センシングデータと特徴データを比較して比較結果を取得する
ことを含むことを特徴とする請求項１５に記載の方法。
【請求項２２】
ローカルセキュリティ認証を行うステップの前に、さらに、前記少なくとも一つのセンサーを使用し、ローカルに前記特徴データを収集及び生成することを含む
ことを特徴とする請求項１５に記載の方法。
【発明の詳細な説明】
【技術分野】
【０００１】
［関連出願への相互参照］
本出願は２０１７年１１月３０日に提出された、出願番号が２０１７１１２４１６２２．３で、発明の名称が「電子装置、表示システム及びその統合制御装置、セキュリティ認証方法」である中国特許出願に対する優先権を主張し、その全ての内容が引用により本明細書に組み込まれる。
【０００２】
［技術分野］
本出願は、表示技術分野に関し、より具体的には、電子装置、表示システム及びその統合制御装置、セキュリティ認証方法に関する。
【背景技術】
【０００３】
ビッグデータ時代の到来に伴い、大量のデータのセキュリティは、「ヒューマンコンピュータインタラクション」で効果的に解決する必要がある重要な問題になる。電子装置に配置されたディスプレイスクリーンは、画像とテキストを表示するために用いられるだけでなく、さらにヒューマンコンピュータインタラクションの重要なアプローチになる。ディスプレイスクリーンにタッチセンサー、指紋センサー、音響センサー、光学センサーなどが統合されてもよく、これにより、表示システムが形成される。ユーザはディスプレイスクリーンに文字の入力、アイコンの選択、ジェスチャ制御、音声、顔識別などの操作を直接行うことができる。
【０００４】
表示システムは、情報収集の入口及び表示コンテンツの出口として、データインタラクションのセキュリティに対してかけがえのない役割を果たす。ディスプレイスクリーンで収集されるインタラクションデータには、例えばキーボード入力などのテキスト情報が含まれるだけでなく、指紋、顔の特徴などのプライバシー情報が含まれる可能性がある。これらの敏感データは、ディスプレイスクリーンのドライバーチップからマザーボードのプロセッサに伝送され、オペレーティングシステムによって処理されてセキュリティ認証などの機能を実現する。
【０００５】
上記表示システムが敏感データをオペレーティングシステムに直接提供する従来技術には、ユーザの敏感データを漏洩する潜在的なリスクがある。システムレベルのセキュリティ認証はほとんどの移動端末のオペレーティングシステムの機能であり、例えばアンドロイドシステムは指紋識別フレームワークを提供する。アプリケーションプログラム（ＡＰＰ）は、オペレーティングシステムから身元認証の呼び出し権限を取得する場合のみ、支払いなどの機能ニーズを完了することができる。アプリケーションプログラム（ＡＰＰ）のリクエストを受信した後、オペレーティングシステムは、指紋を収集し、収集された指紋を格納された指紋特徴データと比較して、ユーザ身元を判定する。アプリケーションプログラム（ＡＰＰ）は、オペレーティングシステムから身元認証の結果を取得する。しかしながら、ユーザは、アプリケーションプログラム（ＡＰＰ）に対して、自分の敏感データをアプリケーションプログラム（ＡＰＰ）に意図的に提供することではなく、認証機能を実現することを目的とする。アプリケーションプログラム（ＡＰＰ）が何らかの方法で敏感データを取得する場合、ユーザのプライバシーへの保護に非常に不利である。いくつかの悪意のあるアプリケーションプログラム（ＡＰＰ）はさらには敏感データを使用してユーザ身元を偽装することができため、大きなセキュリティリスクが生じる。
【０００６】
さらに改善されたシステムでは、ハードウェアレベルのセキュリティ認証を利用することができる。例えば、電子装置は追加したセキュリティチップを含むことができ、そのためセキュリティチップによって敏感データを別に記憶及び認証する。しかしながら、セキュリティチップがシステムコストを増加させるだけでなく、セキュリティチップとオペレーティングシステム間の通信により、システム効率が低くなる。
【０００７】
したがって、表示システムのセキュリティをさらに向上させ、オペレーティングシステムのセキュリティ認証効率を高めることが期待される。
【発明の概要】
【０００８】
上記問題に鑑みて、本発明の目的は、表示システム及びその統合制御装置とセキュリティ認証方法を提供し、ここで、ディスプレイスクリーンの統合制御装置でセキュリティ認証を行い、セキュリティを向上させ且つシステムリソースを節約することにある。
【０００９】
本発明の第一の態様による統合制御装置は、ディスプレイスクリーンに表示駆動信号を提供するための表示ユニットと、少なくとも一つのセンサーに駆動信号を提供し、センシング信号を受信し、前記センシング信号をセンシングデータに変換するためのセンサーユニットと、表示ユニットとセンサーユニットを制御するためのプロセッサとを備え、ここで、前記プロセッサが少なくとも一部のセンシングデータに対してローカルセキュリティ認証を行い、且つ統合制御装置によって認証結果を出力する。
【００１０】
好ましくは、特徴データを記憶するための不揮発性メモリをさらに備え、ここで、前記プロセッサは前記センシングデータと前記特徴データを比較して、セキュリティ認証を行う。
【００１１】
好ましくは、前記表示ユニットは、液晶スクリーンを駆動するためのものであり、表示データを受信するための表示及びグラフィックスインタフェースと、入力された表示データに基づいてグラフィックスデータを生成するための表示コントローラと、前記少なくとも一つのセンサーに最適化されたグラフィックを提供するためのグラフィックエンジンと、ゲート電極電圧を生成して複数行の薄膜トランジスタをゲートするためのゲート電極駆動モジュールと、グラフィックデータに基づいてグレースケール電圧を生成し、ゲートされた薄膜トランジスタを介してグレースケール電圧を印加するためのソース電極駆動モジュールと、前記ゲート電極と前記グレースケール電圧の出力時点を制御して、連続した画像フレーム周期に、複数行の薄膜トランジスタを走査の方式でゲートするためのタイミングコントローラとを含む。
【００１２】
好ましくは、前記表示ユニットは、共通電圧を生成するための共通電圧駆動モジュールと、ガンマ補正曲線を記憶し、前記ソース電極駆動モジュールに、前記グレースケール電圧を補正し、輝度の変化に対する人間の目の非線形要求を満たすための補正信号を提供するためのガンマ基準モジュールとをさらに含む。
【００１３】
好ましくは、前記表示ユニットは、ＡＭＯＬＥＤディスプレイスクリーンを駆動するためのものであり、表示データを受信するための表示及びグラフィックスインタフェースと、入力された表示データに基づいてグラフィックスデータを生成するための表示コントローラと、前記少なくとも一つのセンサーに最適化されたグラフィックを提供するためのグラフィックエンジンと、ゲート電極電圧を生成して複数行の薄膜トランジスタをゲートするための行駆動モジュールと、グラフィックデータに基づいてグレースケール電圧を生成し、ゲートされた薄膜トランジスタを介して前記グレースケール電圧に対応する駆動電流を印加するための列駆動モジュールと、前記ゲート電極と前記グレースケール電圧の出力時点を制御して、連続した画像フレーム周期に、複数行の薄膜トランジスタを走査の方式でゲートするためのタイミングコントローラとを含む。
【００１４】
好ましくは、前記表示ユニットは、ガンマ補正曲線を記憶し、前記列駆動モジュールに、前記グレースケール電圧を補正し、輝度の変化に対する人間の目の非線形要求を満たすための補正信号を提供するためのガンマ基準モジュールとをさらに含む。
【００１５】
好ましくは、前記少なくとも一つのセンサーは、タッチセンサー、指紋センサー、掌紋センサー、音響センサー、光学センサーから選択された少なくとも一つを含み、前記センシングデータは、２次元コード、タッチ位置、指紋、掌紋、声紋、虹彩のうちの少なくとも一つを表すために用いられる。
【００１６】
好ましくは、前記少なくとも一つのセンサーはタッチセンサーであり、前記センサーユニットは、タッチ駆動信号を提供し、タッチセンシング信号を受信し、受信されたタッチセンシング信号に対して増幅及びデジタルアナログ変換を行って、センシングデータを生成するためのタッチ論理モジュールと、センシングデータ及びセンシングデータに基づいて生成された暗号化データと認証結果のうちの一つを前記統合制御装置の外部に伝送するためのタッチインタフェースとを含む。
【００１７】
好ましくは、前記統合制御装置は単一のチップである。
【００１８】
本発明の第二の態様による表示システムは、表示データに基づいて画像を表示するためのディスプレイスクリーンと、ユーザインタラクションのセンシング信号を取得するための少なくとも一つのセンサーと、上記統合制御装置とを備える。
【００１９】
好ましくは、前記ディスプレイスクリーンは液晶ディスプレイスクリーン、ＬＥＤ液晶ディスプレイスクリーン、ＡＭＯＬＥＤディスプレイスクリーン、量子ドットディスプレイスクリーン、電子ペーパー、ＭｉｃｒｏＬＥＤディスプレイスクリーンから選択されたいずれかの一つである。
【００２０】
好ましくは、前記少なくとも一つのセンサーは前記ディスプレイスクリーンの内部又は外部に位置する。
【００２１】
本発明の第三の態様による電子装置は、ユーザインタラクションのセンシング信号を取得するための少なくとも一つのセンサーと、上記統合制御装置とを備える。
【００２２】
好ましくは、前記電子装置は携帯電話、タブレットコンピュータ、ノートパソコン、ＶＲデバイス、ＡＲデバイス、腕時計、自動車、自転車から選択されたいずれかの一つである。
【００２３】
本発明の第四の態様によるセキュリティ認証方法は、少なくとも一つのセンサーからセンシング信号を取得することと、前記センシング信号からセンシングデータを取得することと、前記センシングデータのうちの少なくとも一部のセンシングデータを選択して暗号化して暗号化データを取得し、又はローカルセキュリティ認証を行って認証結果を取得することとを含む。
【００２４】
好ましくは、ローカルセキュリティ認証を行うステップの前に、さらに、前記少なくとも一つのセンサーから識別子を取得することと、識別子に基づいて前記センシングデータが敏感データであるか否かを判定し、ここで、前記少なくとも一部のセンシングデータが敏感データであることとを含む。
【００２５】
好ましくは、ローカルセキュリティ認証を行うステップの前に、さらに、ディスプレイスクリーンを所定の動作状態に設定することと、前記ディスプレイスクリーンの動作状態を取得することと、動作状態に応じて、前記敏感データを敏感データと非敏感データに区分することとを含む。
【００２６】
好ましくは、ローカルセキュリティ認証を行うステップの前に、さらに、敏感レベルに従って、前記センシングデータをレベル１の敏感データとレベル２の敏感データに区分し、ここで、前記少なくとも一部のセンシングデータがレベル２の敏感データであり、前記レベル２の敏感データの感度レベルが前記レベル１の敏感データよりも高いことを含む。
【００２７】
好ましくは、前記センシングデータ、前記暗号化データと前記認証結果のうちの一つをデータパケットにパッケージ化し、前記データパケットを送信することをさらに含む。
【００２８】
好ましくは、前記パッケージ化は、データコンテンツの前に開始ビットとタイプ識別子を付加し、データコンテンツの後に終了ビットとチェックビットを付加することを意味する。
【００２９】
好ましくは、前記セキュリティ認証は前記センシングデータと特徴データを比較して比較結果を取得することを含む。
【００３０】
好ましくは、前記統合制御装置の外部から前記特徴データを予め取得することをさらに含む。
【００３１】
好ましくは、ローカルセキュリティ認証を行うステップの前に、さらに、前記少なくとも一つのセンサーを使用し、ローカルに前記特徴データを収集及び生成することを含む。
【００３２】
該実施例の表示システムでは、統合制御装置でのプロセッサは表示駆動、タッチ駆動とセキュリティ認証の機能を兼ねる。プロセッサはタッチ論理モジュールからセンシングデータを取得した後、センシングデータのタイプに応じて異なるデータ処理を実行する。したがって、タッチインタフェースによって提供される伝送データは、単一のタイプのセンシングデータではなく、センシングデータ、暗号化データと認証結果のうちの一つであってもよい。
【００３３】
該統合制御装置のプロセッサはローカルに敏感データに対してセキュリティ認証を行い、敏感データを表示システムの外部に伝送する必要がないため、セキュリティが向上する。該統合制御装置は、単独したセキュリティチップを設置する必要がなく、ハードウェアコストを増加させない場合で、依然としてハードウェアレベルのセキュリティ認証を行うことができる。
【００３４】
統合制御装置により、従来の表示モジュールの構造サイズを縮小し、電子部品の数を減少し、設計の複雑さを低減し、歩留まりを向上させることができる。
【００３５】
好ましい実施例では、統合制御装置の各モジュールは、単一のチップに統合されている。さらに、ラッシュメモリを統合制御装置のチップに統合する。特徴データがローカルにおいてチップの内部に記憶されるため、セキュリティをさらに向上させることができる。
【図面の簡単な説明】
【００３６】
以下に図面を参照して本発明の実施例を説明することにより、本発明の上記及び他の目的、特徴と利点がより明らかになる。
【００３７】
【図１】本発明の実施例による表示システムにおける液晶表示装置の等価回路図である。
【図２】本発明の実施例による表示システムにおけるタッチ装置の等価回路図である。
【図３】本発明の実施例による表示システムの内部構造図である。
【図４】本発明の実施例による表示システムの回路接続図である。
【図５】本発明の実施例による表示システムにおける統合制御装置の概略ブロック図である。
【図６】本発明の実施例による表示システムにおける別の統合制御装置の概略ブロック図である。
【図７】本発明の実施例による表示システムで時分割多重化方式を利用して表示及びタッチするタイミング図である。
【図８】本発明の実施例による表示システムで実行されるセキュリティ認証方法のフローチャートである。
【発明を実施するための形態】
【００３８】
以下に図面を参照して発明をより詳しく説明する。各図面で、同じ素子が類似の図面記号で表される。明確にするために、図面の各部分は縮尺通りに描かれていない。また、いくつかの公知の部分が示されない可能性がある。
【００３９】
本発明を明確に理解するために、以下に本発明の多くの特定の詳細、例えばデバイスの構造、材料、寸法、処理工程及び技術を説明する。しかし、当業者に理解されるように、これらの特定の詳細に従って本発明を説明しなくてもよい。
【００４０】
本出願では、用語「ローカル」はディスプレイスクリーン側の統合制御装置のチップの内部に設置され、又は統合制御装置と同一のプリント回路基板に位置することを示す。例えば、「ローカル認証」は統合制御装置のチップの内部でプロセッサによって認証プログラムを実行することを示し、「ローカル記憶」は特徴データ、暗号化プログラムと認証プログラムを記憶するための不揮発性記憶装置が統合制御装置のチップの内部に位置し、又は統合制御装置と同一のブロックのプリント回路基板に位置することを示す。
【００４１】
本発明は様々な形態で示されてもよく、以下にその中のいくつかの例を説明する。
【００４２】
本発明の実施例による表示システムは表示装置とユーザ情報を取得するための少なくとも一つのセンサーとを備える。該表示装置は、例えば液晶ディスプレイスクリーン、ＬＥＤ液晶ディスプレイスクリーン、ＡＭＯＬＥＤディスプレイスクリーン、量子ドットディスプレイスクリーン、電子ペーパー、ＭｉｃｒｏＬＥＤディスプレイスクリーンから選択されたいずれかの一つである。該センサーは例えばタッチ装置、指紋センサー、光学センサー、音響センサーから選択されたいずれかの一つである。以下の実施例では、タッチ液晶ディスプレイスクリーンを例として説明し、ここで、表示装置が液晶表示装置であり、センサーはタッチ装置である。
【００４３】
図１は本発明の実施例による表示システムにおける液晶表示装置の等価回路図である。
【００４４】
液晶表示装置１１０はゲート電極駆動モジュール１１１、ソース電極駆動モジュール１１２、複数の薄膜トランジスタＴ、及び画素電極と共通電極の間に形成された複数の画素コンデンサＣLCを含む。前記複数の薄膜トランジスタＴはアレイを構成する。ゲート電極駆動モジュール１１１は複数本のゲート電極走査線を介して対応する行の薄膜トランジスタＴのゲート電極に接続され、ゲート電極電圧Ｇ１〜Ｇｍを走査の方式で提供し、それによって一つの画像フレーム周期において、異なる行の薄膜トランジスタをゲートする。ソース電極駆動モジュール１１２は複数本のソース電極データ線を介して対応する列の薄膜トランジスタＴのソース電極に接続され、各行の複数の薄膜トランジスタＴがゲートされる時に、それぞれ各列の複数の薄膜トランジスタＴへグレースケールに対応するグレースケール電圧Ｓ１〜Ｓｎを提供する。ここで、ｍとｎが自然数である。前記複数の薄膜トランジスタＴのドレイン電極はそれぞれ対応する一つの画素コンデンサＣLCに接続される。
【００４５】
ゲート状態において、ソース電極駆動モジュール１１２はソース電極データ線と薄膜トランジスタＴを介してグレースケース電圧を画素ＣLCに印加する。画素コンデンサＣLCの電圧は、液晶分子に作用し、それによって液晶分子の配向を変化させ、グレースケールに対応する光透過率を実現する。画素の更新周期内に電圧を維持するために、画素コンデンサＣLCは記憶容量Ｃｓに並列接続されてより長い維持時間を得ることができる。
【００４６】
図２は本発明の実施例による表示システムにおけるタッチ装置の等価回路図である。
【００４７】
タッチ装置１２０は、タッチ駆動モジュール１２１、タッチセンシングモジュール１２２、及び励起電極とセンシング電極の間に形成された複数のセンシングコンデンサＣＴを含む。前記複数のセンシングコンデンサＣＴはアレイを構成する。タッチ駆動モジュール１２１は全ての行の励起電極に接続され、励起信号Ｔｘ１〜Ｔｘｍを走査の方式で提供し、それによって一つのタッチフレーム周期において、異なる行の励起電極に励起信号を順次提供する。タッチセンシングモジュール１２２は全ての列のセンシング電極に接続され、対応する列の受信信号Ｒｘ１〜Ｒｘｎを受信する。ここで、ｍとｎが自然数である。
【００４８】
タッチ駆動モジュール１２１は、例えば交流電流信号を励起信号として生成し、タッチセンシングモジュール１２２は、例えば交流電流信号を受信し、受信信号に基づいて電流値を検出し、さらに電流値の大きさに基づいて駆動電極とセンシング電極の交差点の静電容量値を取得し、それによって該時点でタッチ動作が発生したか否かを判定する。
【００４９】
図３は本発明の実施例による表示システムの内部構造図である。該実施例では、表示システムはタッチディスプレイスクリーン１００である。
【００５０】
図面に示すように、タッチディスプレイスクリーン１００は、液晶スクリーン、及びその上に順次積層されたタッチセンサー１７１及びガラスカバー１７２を含む。液晶スクリーンは、バックライトを提供するバックライトユニット１３１と、グレースケール信号に応じて光透過率を変化させる液晶パネルとを含む。タッチセンサー１７１は例えばプラスチックシートを基板とする。
【００５１】
液晶パネルはさらに順次互いに対向する第一のガラス基板１４１、第二のガラス基板１４２、両者の間に挟まれた液晶層１６１をさらに含み、第一のガラス基板１４１に第一の偏光板１４２とＴＦＴアレイ１４３が形成され、第二のガラス基板１４２に第二の偏光板１５２とカラーフィルター１５３が形成される。
【００５２】
第一のガラス基板１４１には、複数本のゲート電極走査線と複数本のソース電極データ線と複数の画素電極がさらに形成され、ＴＦＴアレイ１４３は、複数の薄膜トランジスタを含み、前記薄膜トランジスタのゲート電極が対応する１本のゲート電極走査線に接続され、ソース電極が対応する１本のソース電極データ線に接続され、ドレイン電極が対応する一つの画素電極に接続される。画素電極と共通電極の間に画素コンデンサが形成される。後述するように、液晶パネルはさらに駆動チップを含み、該駆動チップ内のゲート電極駆動モジュールとソース電極駆動モジュールがゲート電極電圧及びグレースケール電圧をそれぞれ提供する。
【００５３】
薄膜トランジスタがゲートされた状態で、ソース電極駆動モジュールはソース電極データ線と薄膜トランジスタを介してグレースケース電圧を画素コンデンサＣLCに印加する。画素コンデンサＣLCの電圧は、液晶分子に作用し、液晶分子の配向を変化させ、グレースケールに対応する光透過率を実現し、それによって対応するグレースケール表示を実現する。
【００５４】
該実施例では、本発明の基本的な原理を説明するために、「カバープレート外部埋め込み型センサー」のタッチディスプレイスクリーン１００が示される。しかしながら、本発明は様々な構造のタッチディスプレイスクリーンに応用されてもよく、センサーのタイプ及びそのディスプレイスクリーンでの統合方式に限定されない。
【００５５】
このような設計方法により、タッチセンサー１７１はカバーガラス（ＣＧ：Ｃｏｖｅｒ  Ｇｌａｓｓ）に追加され、又は一つの専用センサーレイヤーに配置される。タッチセンサー１７１がカバーガラスに統合される方法は、「センサーオンレンズ（ＳｏＬ：Ｓｅｎｓｏｒ−ｏｎ−Ｌｅｎｓ）」又は「カバー統合ソリューション（ＯＧＳ：Ｏｎｅ  Ｇｌａｓｓ  Ｓｏｌｕｔｉｏｎ）」と呼ばれることがあり、これは、この方法が一つの単独したセンサーレイヤーを追加する必要がなく、ガラスカバーを使用するだけでよいためである。単独したタッチセンサー１７１を使用する設計方法は、ガラス−フィルム（ＧＦ：Ｇｌａｓｓ−Ｆｉｌｍ）又はガラス−フィルム−フィルム（ＧＦＦ：Ｇｌａｓｓ−Ｆｉｌｍ−Ｆｉｌｍ）と呼ばれ、前者が単層電極を使用し、後者が２層の電極を使用する。これらの設計方法は全て「分離型」と呼ばれ、即ちタッチセンサー１７１は、独立した構造として液晶スクリーンの表面に積み重ねられる。分離型タッチセンサーオーバーレイの利点は、技術が成熟し、リスクが低く、製品が速く市場に出ていることである。最新の表示及びタッチ技術を採用する時にも、分離型設を採用し、この場合、後続の設計段階で分離型設計が統合されることが多い。
【００５６】
さらに改善された構造では、タッチセンサー１７１の電極アレイは液晶スクリーンの一層又は複数の層に直接統合される。このような統合はディスプレイスクリーンにおける基本セルの上又は基本セル内に実現されてもよく、即ち外部埋め込み（Ｏｎ−Ｃｅｌｌ）統合又は内部埋め込み（Ｉｎ−Ｃｅｌｌ）統合である。
【００５７】
センサーがディスプレイスクリーンにおける基本セルの上に位置するため、タッチ電極アレイを第二のガラス基板１５１の上に設置する方法は、外部埋め込み型統合と呼ばれる。センサーの駆動電極と受信電極は、ジャンパーと電気的に分離することができ、これらのグリッドがブリッジなしで実現されてもよいように、特殊なレイアウトを採用することができる。後者の設計は、シングルレイヤーマルチポイント外部埋め込み（ＳＬＯＣ：Ｓｉｎｇｌｅ−Ｌａｙｅｒ−Ｏｎ−Ｃｅｌｌ）と呼ばれ、このような設計はコストが低く、歩留まりが高いため、非常に一般的である。
【００５８】
外部埋め込み技術を採用して簡単で信頼性が高いタッチ機能をディスプレイスクリーンに追加し、しかも、この方法は、アクティブマトリックス有機発光ダイオード（ＡＭＯＬＥＤ：Ａｃｔｉｖｅ−Ｍａｔｒｉｘ  Ｏｒｇａｎｉｃ  Ｌｉｇｈｔ  Ｅｍｉｔｔｉｎｇ  Ｄｉｏｄｅ）ディスプレイスクリーンに最適な選択である場合が多い。大型ディスプレイスクリーン及び曲面又はフレキシブルディスプレイの場合、ジャンパーがない金属メッシュセンサーを外部埋め込み方式で統合することも良い選択である。
【００５９】
別の内部埋め込み統合は、タッチセンサーの駆動電極が第一のガラス基板１４１の内部に埋め込まれ、受信電極が第二のガラス基板１５１の外部に埋め込まれるという混合式設計に属する。この方式は、ハイブリッドマルチポイント内部埋め込み（Ｈｙｂｒｉｄ  Ｉｎ−Ｃｅｌｌ）設計と呼ばれる。混乱を避けるため、用語「包括的マルチポイント埋め込み」（Ｆｕｌｌ  Ｉｎ−Ｃｅｌｌ）は、駆動電極と受信電極がいずれも基本セル内に位置することを意味する。
【００６０】
該実施例では、表示システムにタッチセンサーが統合される。代替的な実施形態では、タッチセンサーに加えて、指紋センサー、音響センサー、光学センサーなどの指紋、声紋、虹彩などの生体特徴情報を収集するための様々な生体光学センサーが統合される。
【００６１】
図４は本発明の実施例による表示システムの回路接続図である。該実施例では、表示システムはタッチディスプレイスクリーン１００である。タッチディスプレイスクリーン１００はさらにゲート電極電圧とグレースケール電圧を含む表示駆動信号を液晶スクリーンの薄膜トランジスタに提供し、タッチセンサーの駆動電極のためにタッチ駆動信号を制御し、且つタッチセンサーの受信電極から受信信号を取得し、タッチ位置を判定するための統合制御チップ２１０を含む。該統合制御チップ２１０は接続コンポーネント３１０を介してマザーボード４１０に接続されている。接続コンポーネント３１０は例えばフレキシブル回路基板である。マザーボード４１０はオペレーティングシステムの機能を実現するためのメインプロセッサを含む。
【００６２】
従来技術の表示システムでは、収集された敏感データは、表示システム１００からマザーボード４１０のメインプロセッサに送信される。オペレーティングシステムはアプリケーションプログラム（ＡＰＰ）のリクエストを受信した後、敏感データを記憶された特徴データと比較し、それによってユーザ身元を判定し、セキュリティ認証の機能を実現する。アプリケーションプログラム（ＡＰＰ）は、オペレーティングシステムから身元認証の結果を取得する。
【００６３】
該実施例による表示システムでは、統合制御チップ２１０を使用して特徴データを記憶し、セキュリティ認証を行い、それによって、敏感データを表示システム１００の外部に伝送する必要がなく、セキュリティが向上する。該表示システムは、単独したセキュリティチップを設置する必要がなく、ハードウェアコストを増加させない場合で、依然としてハードウェアレベルのセキュリティ認証を行うことができる。アプリケーションプログラム（ＡＰＰ）が何れかの方法でオペレーティングシステム内に入る場合でも、オペレーティングシステムに基づいて統合制御チップ２１０から敏感データを取得することができない。
【００６４】
図５は本発明の実施例による表示システムにおける統合制御装置の概略ブロック図である。該表示システムは例えば液晶ディスプレイスクリーンを使用する。
【００６５】
図に示すように、統合制御チップ２１０はプロセッサ２１１、ユーザインタフェース２３１、記憶ユニット、表示ユニットとタッチユニットを含む。
【００６６】
プロセッサ２１１はフォンノイマン又はハーバードアーキテクチャのＲＩＳＣ  ＣＰＵであり、ＡＲＭ、ＭＩＰＳ、ＯＰＥＮ  ＲＩＳＣなどを含むがこれらに限定されなく、好ましくはＡＲＭであり、またＤＳＰなどであってもよい。該プロセッサ２１１はタッチ検出又は残りのタイプのセンサーを最適化する。オペレーティングシステムをウェイクアップしてユーザからのリクエストを処理する必要があるか否かを判定するように、ローカルにタッチ入力を処理することができる。
【００６７】
ユーザインタフェース２３１は、様々な通信プロトコル及びデジタルＩ／Ｏ、例えばＩ２ＣプロトコルとＳＰＩプロトコルをサポートし、且つ複数のデジタルＩ／Ｏピンを提供することができる。該ユーザインタフェース２３１はマザーボードのメインプロセッサと互いに通信することができる。
【００６８】
記憶ユニットはさらにデータＲＡＭ２４１、プログラムＲＡＭ２４２、ブートＲＯＭ２４３とフラッシュメモリ２４４を含む。フラッシュメモリ２４４に特徴データ、暗号化プログラムと認証プログラムが記憶される。統合制御チップ２１０の電源投入期間に、ブートＲＯＭ２４３内のブートプログラムは、フラッシュメモリ２４４を検出し、フラッシュメモリ２４４から暗号化プログラム及び認証プログラムをロードし、且つ復号してデータをプログラムＲＡＭに記憶する。プロセッサ２１１が動作期間に生成したデータは、データＲＡＭ２４１に記憶されてもよい。該実施例では、フラッシュメモリ２４４における特徴データは、マザーボードのメインプロセッサからのものであってもよいし、プロセッサ２１１の制御でローカルに収集されてデータ処理によって取得された特徴データであってもよい。後者の場合、ユーザの敏感データだけでなく特徴データはいずれもローカルに生成される。オペレーティングシステムは統合制御チップ２１０から認証結果のみを取得するが、敏感データと特徴データの両者を取得することができなく、それによってセキュリティをさらに向上させることに有利である。
【００６９】
表示ユニットは表示コントローラ２１２、グラフィックスエンジン２１３、タイミングコントローラ２１４、表示及びグラフィックスインタフェース２１５、ゲート電極駆動モジュール２１６、ソース電極駆動モジュール２１７、共通電圧駆動モジュール２１８、バックライト制御モジュール２１９とガンマ基準モジュール２５１を含む。表示コントローラ２１２は入力された表示データに基づいてグラフィックスデータを生成するために用いられる。グラフィックスエンジン２１３はメモリウィンドウ、カーソル、ポインターとスプライトグラフィックを制御して、タッチのための高性能の最適化されたグラフィックを提供するために用いられる。表示及びグラフィックスインタフェース２１５は、表示データ例えばＤＳＩ  ＴＣＶＲ、ＤＢＩ  Ｉ／Ｆ、ＤＰＩ  Ｉ／Ｆを受信するための様々な工業基準の表示インタフェースを提供する。バックライト制御モジュール２１９は、液晶スクリーンのバックライトを制御して低消費電力管理を実現するために用いられ、それによって既存のバックライト省エネルギー技術と組み合わせることができる。ゲート電極駆動モジュール２１６、ソース電極駆動モジュール２１７、共通電圧駆動モジュール２１８は、それぞれゲート電極電圧、グレースケール電圧と共通電圧を生成するために用いられる。タイミングコントローラ２１４はゲート電極及びグレースケール電圧の出力時点を制御するために用いられ、それによって一つの画像フレーム周期に、ゲート電極電圧Ｇ１〜Ｇｍを走査の方式で提供し、対応する薄膜トランジスタがゲートされる時に、各列の複数の薄膜トランジスタＴにグレースケールに対応するグレースケール電圧Ｓ１〜Ｓｎを提供し、それによって画素コンデンサに電圧を印加して液晶分子の配向を変化させ、グレースケールに対応する光透過率を実現する。ガンマ基準モジュール２５１は、ガンマ補正曲線を記憶し、ソース電極駆動モジュール２１７に、前記グレースケール電圧を補正し、輝度の変化に対する人間の目の非線形要求を満たすための補正信号を提供するために用いられる。
【００７０】
タッチユニットはタッチ論理モジュール２２１とタッチインタフェース２２２を含む。タッチ論理モジュール２２１はタッチ駆動モジュールとタッチセンシングモジュールの機能を兼ねるため、タッチ駆動信号ＴＸを提供してタッチセンシング信号ＲＸを受信することができる。タッチ論理モジュール２２１は受信されたタッチセンシング信号に対して増幅及びびデジタルアナログ変換を行って、センシングデータを生成する。タッチインタフェース２２２はセンシングデータをマザーボードのメインプロセッサに提供し、オペレーティングシステムによって処理する。
【００７１】
従来技術の統合制御装置は表示駆動機能とタッチ駆動機能の少なくとも一つを実現するために用いられる。該統合制御装置におけるＣＰＵは表示駆動機能とタッチ駆動機能を兼ねることができる。統合制御装置では、ＣＰＵはタッチ論理モジュールからセンシングデータを取得し、その後センシングデータをタッチインタフェースに提供し、それによって単一タイプのセンシングデータをディスプレイスクリーンの外部に伝送する。マザーボードのプロセッサは該センシングデータを取得し、さらにオペレーティングシステムをウェイクアップし、センシングデータを認証する。該従来技術の統合制御装置はセンシングデータの敏感プログラムを区別せず、オペレーティングシステムは敏感データを直接取得する。
【００７２】
従来技術の統合制御装置と異なり、該実施例では、統合制御チップ２１０におけるプロセッサ２１１は表示駆動、タッチ駆動とセキュリティ認証の機能を兼ねる。好ましい実施例では、統合制御チップ２１０のモジュールは、単一のチップに統合される。しかしながら、本発明はこれらに限定されない。統合制御チップ２１０については複数のチップが形成されてもよく、且つディスプレイスクリーン側の回路基板に共同でインストールされる。プロセッサ２１１はタッチ論理モジュール２２１からセンシングデータを取得した後、センシングデータのタイプに応じて異なるデータ処理を実行する。したがって、タッチインタフェース２２２によって提供される伝送データは、単一タイプのセンシングデータではなく、センシングデータ、暗号化データと認証結果のうちの一つであってもよい。
【００７３】
該実施例では、統合制御チップ２１０のフラッシュメモリ２４４は、特徴データ、暗号化プログラムと認証プログラムを記憶するために用いられる。しかしながら、本発明はこれらに限定されない。代替的な実施形態では、統合制御チップ２１０はいかなるタイプの不揮発性メモリ、例えばフラッシュメモリ、ＳＲＡＭ、ＤＲＡＭ、ＥＥＰＲＯＭ、ＥＰＲＯＭから選択されたいずれかの一つを使用することができる。
【００７４】
該統合制御チップ２１０のフラッシュメモリ２４４は、ローカルに特徴データを記憶するために用いられ、プロセッサ２１１はローカルにセキュリティ認証を行うために用いられ、それによって敏感データを表示システム１００の外部に伝送する必要がなく、セキュリティが向上する。該統合制御チップ２１０は、単独したセキュリティチップを設置する必要がなくなり、ハードウェアコストを増加させない場合で、依然としてハードウェアレベルのセキュリティ認証を行うことができる。
【００７５】
該実施例では、フラッシュメモリ２４４は統合制御チップ２１０に統合され、セキュリティを向上させる。代替的な実施形態では、フラッシュメモリ２４４は、統合制御チップ２１０の外部に位置し且つバスを介して統合制御チップ２１０に接続され、システムコストを削減させることができる。
【００７６】
図６は本発明の実施例による表示システムにおける別の統合制御装置の概略ブロック図である。該表示システムは例えばＡＭＯＬＥＤディスプレイスクリーンを使用する。
【００７７】
図に示すように、統合制御チップ２２０はプロセッサ２１１、ユーザインタフェース２３１、記憶ユニット、表示ユニットとタッチユニットを含む。
【００７８】
プロセッサ２１１はフォンノイマン又はハーバードアーキテクチャのＲＩＳＣ  ＣＰＵであり、ＡＲＭ、ＭＩＰＳ、ＯＰＥＮ  ＲＩＳＣなどを含むがこれらに限定されなく、好ましくはＡＲＭであり、またＤＳＰなどであってもよい。該プロセッサ２１１はタッチ検出又は残りのタイプのセンサーを最適化する。オペレーティングシステムをウェイクアップしてユーザからのリクエストを処理する必要があるか否かを判定するように、ローカルにタッチ入力を処理することができる。
【００７９】
ユーザインタフェース２３１は、様々な通信プロトコルとデジタルＩ／Ｏ、例えばＩ２ＣプロトコルとＳＰＩプロトコルをサポートし、且つ複数のデジタルＩ／Ｏピンを提供することができる。該ユーザインタフェース２３１はマザーボードのメインプロセッサと互いに通信することができる。
【００８０】
記憶ユニットはさらにデータＲＡＭ２４１、プログラムＲＡＭ２４２、ブートＲＯＭ２４３とフラッシュメモリ２４４を含む。フラッシュメモリ２４４に特徴データ、暗号化プログラムと認証プログラムが記憶される。統合制御チップ２２０の電源がオンになっている期間に、ブートＲＯＭ２４３内のブートプログラムは、フラッシュメモリ２４４を検出し、フラッシュメモリ２４４から暗号化プログラム及び認証プログラムをロードし、且つ復号してデータをプログラムＲＡＭに記憶する。プロセッサ２１１が動作期間に生成したデータは、データＲＡＭ２４１に記憶されてもよい。該実施例では、フラッシュメモリ２４４における特徴データは、マザーボードのメインプロセッサからのものであってもよいし、プロセッサ２１１の制御でローカルに収集されてデータ処理によって取得された特徴データであってもよい。後者の場合、ユーザの敏感データだけでなく特徴データはいずれもローカルに生成される。オペレーティングシステムは統合制御チップ２２０から認証結果のみを取得するが、敏感データと特徴データの両者を取得することができなく、それによってセキュリティをさらに向上させることに有利である。
【００８１】
表示ユニットは表示コントローラ２１２、グラフィックスエンジン２１３、タイミングコントローラ２１４、表示及びグラフィックスインタフェース２１５、行駆動モジュール２２６、列駆動モジュール２２７とガンマ基準モジュール２５１を含む。表示コントローラ２１２は入力された表示データに基づいてグラフィックスデータを生成するために用いられる。グラフィックスエンジン２１３はメモリウィンドウ、カーソル、ポインターとスプライトグラフィックを制御して、タッチのための高性能の最適化されたグラフィックを提供するために用いられる。表示及びグラフィックスインタフェース２１５は、表示データ例えばＤＳＩ  ＴＣＶＲ、ＤＢＩ  Ｉ／Ｆ、ＤＰＩ  Ｉ／Ｆを受信するための様々な工業基準の表示インタフェースを提供する。行駆動モジュール２２６、列駆動モジュール２２７はそれぞれゲート電極電圧とグレースケール電圧を生成するために用いられる。タイミングコントローラ２１４はゲート電極及びグレースケール電圧の出力時点を制御するために用いられ、それによって一つの画像フレーム周期に、ゲート電極電圧Ｇ１〜Ｇｍを走査方式で提供し、対応する薄膜トランジスタがゲートされる時に、各列の複数の薄膜トランジスタＴにグレースケールに対応する電圧Ｓ１〜Ｓｎを提供し、それによって発光ダイオードにグレースケールに対応する値の電流を印加して発光して、グレースケールに対応する発光輝度を達成する。ガンマ基準モジュール２５１は、ガンマ補正曲線を記憶し、列駆動モジュール２２７に、前記グレースケール電圧を補正し、輝度の変化に対する人間の目の非線形要求を満たすための補正信号を提供するために用いられる。
【００８２】
タッチユニットはタッチ論理モジュール２２１とタッチインタフェース２２２を含む。タッチ論理モジュール２２１はタッチ駆動モジュールとタッチセンシングモジュールの機能を兼ねるため、タッチ駆動信号ＴＸを提供してタッチセンシング信号ＲＸを受信することができる。タッチ論理モジュール２２１は受信されたタッチセンシング信号に対して増幅及びびデジタルアナログ変換を行って、センシングデータを生成する。タッチインタフェース２２２はセンシングデータをマザーボードのメインプロセッサに提供し、オペレーティングシステムによって処理する。
【００８３】
該実施例では、統合制御チップ２２０のプロセッサ２１１は、表示駆動、タッチ駆動とセキュリティ認証の機能を兼ねる。プロセッサ２１１はタッチ論理モジュール２２１からセンシングデータを取得した後、センシングデータのタイプに応じて異なるデータ処理を実行する。したがって、タッチインタフェース２２２によって提供される伝送データは、単一タイプのセンシングデータではなく、センシングデータ、暗号化データと認証結果のうちの一つであってもよい。
【００８４】
該統合制御チップ２２０のフラッシュメモリ２４４は、ローカルに特徴データを記憶するために用いられ、プロセッサ２１１はローカルにセキュリティ認証を行うために用いられ、それによって敏感データを表示システム１００の外部に伝送する必要がなく、セキュリティが向上する。該統合制御チップ２２０は、単独したセキュリティチップを設置する必要がなく、ハードウェアコストを増加させない場合で、依然としてハードウェアレベルのセキュリティ認証を行うことができる。
【００８５】
該実施例では、フラッシュメモリ２４４は統合制御チップ２２０に統合され、セキュリティを向上させる。代替的な実施形態では、フラッシュメモリ２４４は、統合制御チップ２２０の外部に位置し且つバスを介して統合制御チップ２２０に接続され、システムコストを削減させることができる。
【００８６】
図７は本発明の実施例による表示システムで時分割多重化方式を利用して表示及びタッチするタイミング図である。
【００８７】
実際の応用において、表示システムは複数のタイプのセンサーを統合することができる。統合制御チップ２１０におけるプロセッサは表示駆動、センサー駆動とセキュリティ認証の３つの機能を兼ねるため、ハードウェアレベルのセキュリティ認証メカニズムを提供する。様々なセンシングユニットは低い動作周波数で周期的ポーリング状態にある。
【００８８】
タッチ検出に対して、センシングユニットが物体のタッチをセンシングする場合、動作状態に変換し、タッチデータを収集し、この時に表示データとタッチデータに対して時間分割多重化方式を利用する。
【００８９】
接触式生体特徴識別、例えば指紋識別に対して、接触式生体特徴識別にはタッチが必要であり、したがって、この方式で収集された生体特徴データがタッチデータと類似し、表示データと時間分割多重化方式を利用する。
【００９０】
非接触式生体特徴識別に対して、予め設定することができる。手動監視が必要な収集については、シリアルデータフレームを使用し、表示データを現在の収集データに切り替え、現在の表示されている収集データが終了した後、元の表示される画像に切り替えることができる。該非接触式生体特徴識別収集プロセスに手動監視（監視なし）が必要ではない場合、表示データと時間分割多重方式を利用してバックグラウンドで処理することができる。イメージセンサーを使用して画像を収集する時に、リアルタイムに収集された画像が要求を満たすか否かを手動で確認する必要がある場合、現在のキャプチャされているオブジェクトを表示することができ、この時に表示データはイメージセンサーによって収集された現在のデータである。
【００９１】
タッチと表示が同期して行われる必要があることを例として説明する。
【００９２】
画像フレームの切り替えプロセスにおけるブランキング期間に、表示ユニットはタッチユニットのノイズに小さく影響する。したがって、デバイスが実際に動作する場合、表示とタッチに対して時間分割多重化原理を利用し、表示データ処理がタッチデータ処理と時間的に分離し、相互干渉を減少することができる。画像フレームの走査中、いくつかのタイムスロットが区分されてタッチフレームとして用いられる。
【００９３】
図７に示すように、一つの画像フレーム期間に、複数の表示期間ＴＰ及び複数のタッチ期間ＴＰがそれぞれ含まれる。異なる期間に、表示データとタッチデータの処理は、交互に実行される。即ち表示とタッチが時分割多重化される。人間の目が画像変換に対して一定の識別時間ウィンドウを有するため、フレームレートと２つの期間の時間の比率に一定の要求がある。このような駆動方式により、タッチ動作層に対する液晶表示アレイのノイズ電気信号の影響を効果的に低減させ、また、シールドラミネートレイヤーを節約し、タッチディスプレイスクリーンの厚さを減らすことができる。
【００９４】
以上に時分割多重化はソフトウェアプログラムによって操作されてもよく、マルチプレックス選択ユニット（ＭＵＸ）と組み合わせて切り替えられてもよい。
【００９５】
図８は本発明の実施例による表示システムで実行されるセキュリティ認証方法のフローチャートである。該方法では統合制御装置が少なくとも一つのセンサーに接続されてセンシングデータを取得し、センシングデータの敏感レベルに応じて異なるデータ処理を行うことが説明される。該センサーは例えばタッチセンサー、指紋センサー、音響センサー、光学センサーのうちの少なくとも一つであり、該センシングデータは例えば２次元コード、タッチ位置、指紋、声紋、虹彩のうちの少なくとも一つである。
【００９６】
該セキュリティ認証方法は例えば図５に示す統合制御チップ２１０に用いられる。以下の実施例では依然としてタッチセンサーを例として各ステップを説明する。
【００９７】
ステップＳ１０１において、統合制御チップ２１０はセンサーから識別子とセンシング信号を取得する。センサーの識別子はセンサーのタイプを識別するために用いられる。
【００９８】
該実施例では、統合制御チップ２１０の異なるピンを介して異なるタイプのセンサーを接続し、ピンに基づいてセンサーの識別子を取得する。代替的な実施形態では、センサーは識別子とセンシング信号を統合制御チップ２１０に伝送する。
【００９９】
その後、統合制御チップ２１０の内部で後のステップＳ１０２〜Ｓ１１０を実行し続ける。
【０１００】
ステップＳ１０２において、センシング信号をセンシングデータに処理する。例えば、タッチ論理モジュール２１１は、受信信号（ＲＸ）に対して増幅及びアナログデジタル変換を行い、前記センシングデータを生成するために用いられる。
【０１０１】
ステップＳ１０３において、好ましいステップとして、タッチディスプレイスクリーン１１０の動作状態を取得する。
【０１０２】
タッチディスプレイスクリーン１１０で様々な動作を行うことができる。ユーザの同じ動作の場合でも、それぞれ敏感データ又は非敏感データである可能性がある。例えば、画面のロックが解除され又はアプリケーションＡＰＰがリクエストする場合、オペレーティングシステムは、タッチディスプレイスクリーン１１０にパスワード入力インタフェースを生成し、ユーザのタッチ動作によって入力パスワードを生成する。該入力パスワードはプライベートコンテンツであり、敏感データと見なされてもよい。逆に、アプリケーションプログラム（ＡＰＰ）でグラフィックズーム操作を行う時に、ユーザのタッチ動作によりズーム命令が生成され、該ズーム命令が開示コンテンツであり、非敏感データと見なされてもよい。
【０１０３】
該ステップでは、ディスプレイスクリーンは、所定の動作状態、例えば敏感状態と非敏感状態のうちの一つが既に予め設定された。統合制御チップ２１０は前のステップでセンシングデータを取得するためにセンサーを起動した。さらに、統合制御チップ２１０は、後でセンシングデータが敏感データであるか否かを判定するように、オペレーティングシステムからタッチディスプレイスクリーン１１０の動作状態を知ることができる。
【０１０４】
ステップＳ１０４において、タッチディスプレイスクリーン１１０の動作状態に応じて、敏感状態にあるか否かを判定する。タッチディスプレイスクリーン１１０の動作状態が非敏感状態である場合、ステップＳ１１０を実行し、センシングデータをパッケージ化してディスプレイの外部に伝送する。タッチディスプレイスクリーン１１０の動作状態が敏感状態である場合、ステップＳ１０５を実行する。
【０１０５】
ステップＳ１０５で、識別子に応じてセンシングデータが敏感データであるか否かを判定する。タッチディスプレイスクリーン１１０によって取得されたセンシングデータが非敏感データである場合、ステップＳ１１０を実行し、センシングデータをパッケージ化してディスプレイの外部に伝送する。タッチディスプレイスクリーン１１０によって取得されたセンシングデータが敏感データである場合、ステップＳ１０６を実行する。
【０１０６】
例えば、上述したように、タッチセンサーによって生成されたセンシングデータが動作状態に関連付けられ、非敏感データだけでなく敏感データである可能性がある。指紋センサーによって生成されたセンシングデータは常に敏感データである。
【０１０７】
ステップＳ１０６で、センシングデータの敏感レベルを取得する。例えば、タッチセンサーによって生成されたセンシングデータは例えばユーザ名と身元情報の入力に用いられ、オペレーティングシステムによって敏感データをさらに処理し、該敏感データの敏感レベルがレベル１の敏感データと見なされてもよい。指紋センサーによって生成されたセンシングデータは個人識別パスワード又は生体特徴情報を含み、該センシングデータの敏感レベルがレベル２の敏感データと見なされてもよい。レベル２の敏感データの敏感レベルがレベル１の敏感よりも高い。該実施例では、例えばセンシングデータのコンテンツが生体特徴情報を含むか否かに応じて敏感レベルを区分する。
【０１０８】
ステップＳ１０７で、敏感レベルに応じて、ローカルセキュリティ認証を行うか否かを判定する。センシングデータがレベル１の敏感データである場合、ステップＳ１０８を実行し、センシングデータを暗号化し、その後ステップＳ１１０を実行し、暗号化されたデータをパッケージ化してディスプレイスクリーンの外部に伝送する。センシングデータがレベル２の敏感データである場合、ステップＳ１０９を実行し、センシングデータに対してローカル認証を行い、その後ステップＳ１１０を実行し、認証結果をパッケージ化してディスプレイスクリーンの外部に伝送する。
【０１０９】
ステップＳ１０９で、敏感データに対してローカルセキュリティ認証を行う。該ステップの前に、特徴データを提供し且つフラッシュメモリ２４４に記憶するようにオペレーティングシステムに予めリクエストすることができる。好ましい実施例では、統合制御チップ２１０はローカルに特徴データを収集及び生成し且つフラッシュメモリ２４４に記憶することができる。該特徴データは、ＰＩＮコード、指紋テンプレート、虹彩特徴などを含む。
【０１１０】
ステップＳ１１０で、異なるタイプのデータをパッケージ化してディスプレイスクリーンの外部に伝送する。該ステップでパッケージ化されたデータは上記のセンシングデータ、暗号化データと認証結果のいずれかの一つを含む。該データパッケージ化は、データコンテンツの前に開始ビットとタイプ識別子を付加し、データコンテンツの後に終了ビットとチェックビットを付加することを含む。
【０１１１】
上記方法では、センシングデータのタイプに対して異なる処理を行う。非敏感データに対して、統合制御チップ２１０はセンシングデータをディスプレイスクリーンの外部に直接伝送し、レベル１の敏感データに対して、統合制御チップ２１０はセンシングデータを暗号化してディスプレイスクリーンの外部に伝送し、レベル２の敏感データに対して、統合制御チップ２１０はローカルにセキュリティ認証を行い、センシングデータと特徴データを比較して認証結果を取得し、そして認証結果をディスプレイスクリーンの外部に伝送する。
【０１１２】
これらのデータは、ディスプレイスクリーンのドライバーチップからマザーボードのプロセッサに伝送され、オペレーティングシステムによって処理されてデータコンテンツの取得を実現する。オペレーティングシステムはタイプ識別子に応じて、データコンテンツがセンシングデータ、暗号化データと認証結果のうちの一つを識別することができる。
【０１１３】
図４を参照すると、該方法が電子装置に応用される場合、マザーボード４１０のプロセッサと統合制御チップ２１０のプロセッサはそれぞれオペレーティングシステムとセキュリティ認証に用いられる。オペレーティングシステムは統合制御チップ２１０から認証結果のみを取得するため、敏感データを取得することができなく、それによってセキュリティを向上させることに有利である。
【０１１４】
説明すべきものとして、本説明書において、第一と第二などのような関係用語は一つのエンティティ又は操作を別のエンティティ又は操作と区別するためのものだけであり、必ずしもこれらのエンティティ又は操作の間にいかなるこのような実際の関係又は順番が存在することをリクエスト又は示唆しない。そして、用語「包括」、「包含」又は他のいかなる変形は非排他的な包含を含むことを図ることにより、一連の要素を含む過程、方法、物品又は装置はこれらの要素だけでなく、明確に示されない他の要素を含み、又はさらにこのようなプロセス、方法、物品又は装置に固有な要素を含む。更なる制限がない場合、語句「一つ．．．．．．を含む」によって限定された要素は、前記要素を含むプロセス、方法、物品又は装置に別の同じ要素がさらに存在することを排除するものではない。
【０１１５】
本発明による実施例は上記の通りであり、これらの実施例では、全ての詳細が詳述されなく、また該発明が説明される具体的な実施例のみに限定されない。明らかに、上記の説明によれば、多くの修正及び変形が可能であり、回路の局所的な構造の変更、コンポーネントのタイプ又は型番の置き換えを含むがこれらに限定されない。本明細書は、本発明の原理と実際応用をより良く解釈するために、これらの実施例を選択して具体的に説明し、これにより、当業者は、本発明をより良く利用し、本発明に基づいて修正して使用することができる。本発明は添付の特許請求の範囲及びその全ての範囲と同等物のみによって制限される。
【図１】
2021508390.tif 000003
【図２】
2021508390.tif 000004
【図３】
2021508390.tif 000005
【図４】
2021508390.tif 000006
【図５】
2021508390.tif 000007
【図６】
2021508390.tif 000008
【図７】
2021508390.tif 000009
【図８】
2021508390.tif 000010
【手続補正書】
【提出日】令和2年8月3日(2020.8.3)
【手続補正１】
【補正対象書類名】特許請求の範囲
【補正対象項目名】全文
【補正方法】変更
【補正の内容】
【特許請求の範囲】
【請求項１】
統合制御装置であって、
ディスプレイスクリーンに表示駆動信号を提供するための表示ユニットと、
少なくとも一つのセンサーに駆動信号を提供してセンシング信号を受信し、前記センシング信号をセンシングデータに変換するためのセンサーユニットと、
表示ユニットとセンサーユニットを制御するためのプロセッサとを備え、
前記プロセッサが少なくとも一部のセンシングデータに対してローカルセキュリティ認証を行い、且つ統合制御装置によって認証結果を出力する、統合制御装置。
【請求項２】
特徴データを記憶するための不揮発性メモリをさらに備え、前記プロセッサは前記センシングデータと前記特徴データを比較して、セキュリティ認証を行う
ことを特徴とする請求項１に記載の統合制御装置。
【請求項３】
前記表示ユニットは、液晶スクリーンを駆動するためのものであり、
表示データを受信するための表示及びグラフィックスインタフェースと、
入力された表示データに基づいてグラフィックスデータを生成するための表示コントローラと、
前記少なくとも一つのセンサーに最適化されたグラフィックを提供するためのグラフィックエンジンと、
ゲート電極電圧を生成して複数行の薄膜トランジスタをゲートするためのゲート電極駆動モジュールと、
グラフィックデータに基づいてグレースケール電圧を生成し、ゲートされた薄膜トランジスタを介してグレースケール電圧を印加するためのソース電極駆動モジュールと、
前記ゲート電極電圧と前記グレースケール電圧の出力時点を制御して、連続した画像フレーム周期に、複数行の薄膜トランジスタを走査の方式でゲートするためのタイミングコントローラとを含む
ことを特徴とする請求項１に記載の統合制御装置。
【請求項４】
前記表示ユニットはさらに、
共通電圧を生成するための共通電圧駆動モジュールと、
ガンマ補正曲線を記憶し、前記ソース電極駆動モジュールに、前記グレースケール電圧を補正し、輝度の変化に対する人間の目の非線形要求を満たすための補正信号を提供するためのガンマ基準モジュールとを含む
ことを特徴とする請求項３に記載の統合制御装置。
【請求項５】
前記表示ユニットは、ＡＭＯＬＥＤディスプレイスクリーンを駆動するためのものであり、
表示データを受信するための表示及びグラフィックスインタフェースと、
入力された表示データに基づいてグラフィックスデータを生成するための表示コントローラと、
前記少なくとも一つのセンサーに最適化されたグラフィックを提供するためのグラフィックエンジンと、
ゲート電極電圧を生成して複数行の薄膜トランジスタをゲートするための行駆動モジュールと、
グラフィックデータに基づいてグレースケール電圧を生成し、ゲートされた薄膜トランジスタを介して前記グレースケール電圧に対応する駆動電流を印加するための列駆動モジュールと、
前記ゲート電極電圧と前記グレースケール電圧の出力時点を制御して、連続した画像フレーム周期に、複数行の薄膜トランジスタを走査の方式でゲートするためのタイミングコントローラとを含む
ことを特徴とする請求項１に記載の統合制御装置。
【請求項６】
前記表示ユニットはさらに、
ガンマ補正曲線を記憶し、前記列駆動モジュールに、前記グレースケール電圧を補正し、輝度の変化に対する人間の目の非線形要求を満たすための補正信号を提供するためのガンマ基準モジュールを含む
ことを特徴とする請求項５に記載の統合制御装置。
【請求項７】
前記少なくとも一つのセンサーは、タッチセンサー、指紋センサー、掌紋センサー、音響センサー、光学センサーから選択された少なくとも一つを含み、前記センシングデータは、２次元コード、タッチ位置、指紋、掌紋、声紋、虹彩のうちの少なくとも一つを表すために用いられる
ことを特徴とする請求項１に記載の統合制御装置。
【請求項８】
前記少なくとも一つのセンサーはタッチセンサーであり、前記センサーユニットは、
タッチ駆動信号を提供してタッチセンシング信号を受信し、受信されたタッチセンシング信号に対して増幅及びデジタルアナログ変換を行って、センシングデータを生成するためのタッチ論理モジュールと、
センシングデータ、及びセンシングデータに基づいて生成された暗号化データと認証結果のうちの一つを前記統合制御装置の外部に伝送するためのタッチインタフェースとを含む
ことを特徴とする請求項７に記載の統合制御装置。
【請求項９】
前記統合制御装置は単一のチップである
ことを特徴とする請求項７に記載の統合制御装置。
【請求項１０】
表示システムでは、
表示データに基づいて画像を表示するためのディスプレイスクリーンと、
ユーザインタラクションのセンシング信号を取得するための少なくとも一つのセンサーと、
請求項１に記載の統合制御装置とを備える、表示システム。
【請求項１１】
前記ディスプレイスクリーンは液晶ディスプレイスクリーン、ＬＥＤ液晶ディスプレイスクリーン、ＡＭＯＬＥＤディスプレイスクリーン、量子ドットディスプレイスクリーン、電子ペーパー、ＭｉｃｒｏＬＥＤディスプレイスクリーンから選択されたいずれかの一つである
ことを特徴とする請求項１０に記載の表示システム。
【請求項１２】
前記少なくとも一つのセンサーは前記ディスプレイスクリーンの内部又は外部に位置する
ことを特徴とする請求項１０に記載の表示システム。
【請求項１３】
電子装置であって、
ユーザインタラクションのセンシング信号を取得するための少なくとも一つのセンサーと、
請求項１に記載の統合制御装置とを備える、電子装置。
【請求項１４】
前記電子装置は携帯電話、タブレットコンピュータ、ノートパソコン、ＶＲデバイス、ＡＲデバイス、腕時計、自動車、自転車から選択されたいずれかの一つである
ことを特徴とする請求項１３に記載の電子装置。
【請求項１５】
セキュリティ認証方法であって、
少なくとも一つのセンサーからセンシング信号を取得することと、
前記センシング信号からセンシングデータを取得することと、
前記センシングデータのうちの少なくとも一部のセンシングデータを選択して暗号化して暗号化データを取得し、又はローカルセキュリティ認証を行って認証結果を取得することとを含む、セキュリティ認証方法。
【請求項１６】
ローカルセキュリティ認証を行うステップの前に、さらに、
前記少なくとも一つのセンサーから識別子を取得することと、
識別子に応じて前記センシングデータが敏感データであるか否かを判定することとを含み、
前記少なくとも一部のセンシングデータが敏感データである
ことを特徴とする請求項１５に記載の方法。
【請求項１７】
ローカルセキュリティ認証を行うステップの前に、さらに、
ディスプレイスクリーンを所定の動作状態に設定することと、
前記ディスプレイスクリーンの動作状態を取得することと、
動作状態に応じて前記センシングデータを敏感データと非敏感データに区分することとを含む
ことを特徴とする請求項１５に記載の方法。
【請求項１８】
ローカルセキュリティ認証を行うステップの前に、さらに、
敏感レベルに従って、前記センシングデータをレベル１の敏感データとレベル２の敏感データに区分し、前記レベル２の敏感データの感度レベルが前記レベル１の敏感データよりも高いことを含み、
前記少なくとも一部のセンシングデータがレベル２の敏感データである
ことを特徴とする請求項１７に記載の方法。
【請求項１９】
前記センシングデータ、前記暗号化データと前記認証結果をデータパケットにパッケージ化し、前記データパケットを送信することをさらに含む
ことを特徴とする請求項１７に記載の方法。
【請求項２０】
パッケージ化は、データコンテンツの前に開始ビットとタイプ識別子を付加し、データコンテンツの後に終了ビットとチェックビットを付加することを意味する
ことを特徴とする請求項１９に記載の方法。
【請求項２１】
前記ローカルセキュリティ認証は前記センシングデータと特徴データを比較して比較結果を取得する
ことを含むことを特徴とする請求項１５に記載の方法。
【請求項２２】
ローカルセキュリティ認証を行うステップの前に、さらに、前記少なくとも一つのセンサーを使用し、ローカルに前記特徴データを収集及び生成することを含む
ことを特徴とする請求項１５に記載の方法。
【手続補正２】
【補正対象書類名】明細書
【補正対象項目名】００１１
【補正方法】変更
【補正の内容】
【００１１】
好ましくは、前記表示ユニットは、液晶スクリーンを駆動するためのものであり、表示データを受信するための表示及びグラフィックスインタフェースと、入力された表示データに基づいてグラフィックスデータを生成するための表示コントローラと、前記少なくとも一つのセンサーに最適化されたグラフィックを提供するためのグラフィックエンジンと、ゲート電極電圧を生成して複数行の薄膜トランジスタをゲートするためのゲート電極駆動モジュールと、グラフィックデータに基づいてグレースケール電圧を生成し、ゲートされた薄膜トランジスタを介してグレースケール電圧を印加するためのソース電極駆動モジュールと、前記ゲート電極電圧と前記グレースケール電圧の出力時点を制御して、連続した画像フレーム周期に、複数行の薄膜トランジスタを走査の方式でゲートするためのタイミングコントローラとを含む。
【手続補正３】
【補正対象書類名】明細書
【補正対象項目名】００１３
【補正方法】変更
【補正の内容】
【００１３】
好ましくは、前記表示ユニットは、ＡＭＯＬＥＤディスプレイスクリーンを駆動するためのものであり、表示データを受信するための表示及びグラフィックスインタフェースと、入力された表示データに基づいてグラフィックスデータを生成するための表示コントローラと、前記少なくとも一つのセンサーに最適化されたグラフィックを提供するためのグラフィックエンジンと、ゲート電極電圧を生成して複数行の薄膜トランジスタをゲートするための行駆動モジュールと、グラフィックデータに基づいてグレースケール電圧を生成し、ゲートされた薄膜トランジスタを介して前記グレースケール電圧に対応する駆動電流を印加するための列駆動モジュールと、前記ゲート電極電圧と前記グレースケール電圧の出力時点を制御して、連続した画像フレーム周期に、複数行の薄膜トランジスタを走査の方式でゲートするためのタイミングコントローラとを含む。
【手続補正４】
【補正対象書類名】明細書
【補正対象項目名】００２９
【補正方法】変更
【補正の内容】
【００２９】
好ましくは、前記ローカルセキュリティ認証は前記センシングデータと特徴データを比較して比較結果を取得することを含む。
【手続補正５】
【補正対象書類名】明細書
【補正対象項目名】００６９
【補正方法】変更
【補正の内容】
【００６９】
表示ユニットは表示コントローラ２１２、グラフィックスエンジン２１３、タイミングコントローラ２１４、表示及びグラフィックスインタフェース２１５、ゲート電極駆動モジュール２１６、ソース電極駆動モジュール２１７、共通電圧駆動モジュール２１８、バックライト制御モジュール２１９とガンマ基準モジュール２５１を含む。表示コントローラ２１２は入力された表示データに基づいてグラフィックスデータを生成するために用いられる。グラフィックスエンジン２１３はメモリウィンドウ、カーソル、ポインターとスプライトグラフィックを制御して、タッチのための高性能の最適化されたグラフィックを提供するために用いられる。表示及びグラフィックスインタフェース２１５は、表示データ例えばＤＳＩ  ＴＣＶＲ、ＤＢＩ  Ｉ／Ｆ、ＤＰＩ  Ｉ／Ｆを受信するための様々な工業基準の表示インタフェースを提供する。バックライト制御モジュール２１９は、液晶スクリーンのバックライトを制御して低消費電力管理を実現するために用いられ、それによって既存のバックライト省エネルギー技術と組み合わせることができる。ゲート電極駆動モジュール２１６、ソース電極駆動モジュール２１７、共通電圧駆動モジュール２１８は、それぞれゲート電極電圧、グレースケール電圧と共通電圧を生成するために用いられる。タイミングコントローラ２１４はゲート電極電圧及びグレースケール電圧の出力時点を制御するために用いられ、それによって一つの画像フレーム周期に、ゲート電極電圧Ｇ１〜Ｇｍを走査の方式で提供し、対応する薄膜トランジスタがゲートされる時に、各列の複数の薄膜トランジスタＴにグレースケールに対応するグレースケール電圧Ｓ１〜Ｓｎを提供し、それによって画素コンデンサに電圧を印加して液晶分子の配向を変化させ、グレースケールに対応する光透過率を実現する。ガンマ基準モジュール２５１は、ガンマ補正曲線を記憶し、ソース電極駆動モジュール２１７に、前記グレースケール電圧を補正し、輝度の変化に対する人間の目の非線形要求を満たすための補正信号を提供するために用いられる。
【手続補正６】
【補正対象書類名】明細書
【補正対象項目名】００８１
【補正方法】変更
【補正の内容】
【００８１】
表示ユニットは表示コントローラ２１２、グラフィックスエンジン２１３、タイミングコントローラ２１４、表示及びグラフィックスインタフェース２１５、行駆動モジュール２２６、列駆動モジュール２２７とガンマ基準モジュール２５１を含む。表示コントローラ２１２は入力された表示データに基づいてグラフィックスデータを生成するために用いられる。グラフィックスエンジン２１３はメモリウィンドウ、カーソル、ポインターとスプライトグラフィックを制御して、タッチのための高性能の最適化されたグラフィックを提供するために用いられる。表示及びグラフィックスインタフェース２１５は、表示データ例えばＤＳＩ  ＴＣＶＲ、ＤＢＩ  Ｉ／Ｆ、ＤＰＩ  Ｉ／Ｆを受信するための様々な工業基準の表示インタフェースを提供する。行駆動モジュール２２６、列駆動モジュール２２７はそれぞれゲート電極電圧とグレースケール電圧を生成するために用いられる。タイミングコントローラ２１４はゲート電極電圧及びグレースケール電圧の出力時点を制御するために用いられ、それによって一つの画像フレーム周期に、ゲート電極電圧Ｇ１〜Ｇｍを走査方式で提供し、対応する薄膜トランジスタがゲートされる時に、各列の複数の薄膜トランジスタＴにグレースケールに対応する電圧Ｓ１〜Ｓｎを提供し、それによって発光ダイオードにグレースケールに対応する値の電流を印加して発光して、グレースケールに対応する発光輝度を達成する。ガンマ基準モジュール２５１は、ガンマ補正曲線を記憶し、列駆動モジュール２２７に、前記グレースケール電圧を補正し、輝度の変化に対する人間の目の非線形要求を満たすための補正信号を提供するために用いられる。
【国際調査報告】
2021508390.tif 000011
2021508390.tif 000012
2021508390.tif 000013
2021508390.tif 000014